(57)【要約】【課題】  伸長性を高めて従来よりも簡単に装着することができるハンドルカバーの提供を目的とする。【解決手段】  ハンドルカバー２は、可撓性材料により形成されてハンドルのホイール部を内側に収容することができるハンドルカバー２であって、ループ状の前面を有する前面部３１と、前面と略一致する寸法になっている後面を有し、前面部３１と間を空けて配置されている後面部３２と、前面部３１の外側と後面部３２の外側とを繋ぐループ状の周面部３３とにより、前面部３１及び後面部３２の内側にループ状の開口３０１を有すると共にハンドルのホイール部を収容することができる収容空間３０を囲む無端の環状チューブ体３に形成されている上、環状チューブ体３の無端方向に沿って並ぶ複数のスリット３１１がそれぞれ環状チューブ体３を貫通するように形成されていることを特徴とする。【選択図】  図３
2015157621.tif 000002
【特許請求の範囲】
【請求項１】
可撓性材料により形成されてハンドルのホイール部を内側に収容することができるハンドルカバーであって、
ループ状の前面を有する前面部と、
前記前面と略一致する寸法になっている後面を有し、前記前面部と間を空けて配置されている後面部と、
前記前面部の外側と前記後面部の外側とを繋ぐループ状の周面部とを備えることにより、
前記前面部及び前記後面部の内側にループ状の開口を有すると共に前記ハンドルのホイール部を収容することができる収容空間を囲む無端の環状チューブ体に形成されている上、
前記環状チューブ体の無端方向に沿って並ぶ複数のスリットがそれぞれ前記環状チューブ体を貫通するように形成されていることを特徴とするハンドルカバー。
【請求項２】
前記複数のスリットにおいて、隣り合うスリットは、それぞれ前記環状チューブ体の無端方向と所定の角度を成すように互いに略平行に延伸していることを特徴とする請求項１に記載のハンドルカバー。
【請求項３】
前記複数のスリットは、前記前面部において前記環状チューブ体の無端方向に沿って並ぶ複数の第１のスリットを含むように構成されていることを特徴とする請求項２に記載のハンドルカバー。
【請求項４】
前記複数のスリットは、前記後面部において前記環状チューブ体の無端方向に沿って並ぶ複数の第２のスリットを含むように構成されていることを特徴とする請求項２または３に記載のハンドルカバー。
【請求項５】
前記複数のスリットは、前記周面部において前記環状チューブ体の無端方向に沿って並ぶ複数の第３のスリットを含むように構成されていることを特徴とする請求項２〜４のいずれか一項に記載のハンドルカバー。
【請求項６】
前記複数のスリットは、それぞれ前記環状チューブ体の無端方向と略直交するように延伸して長尺状に形成されたものを含むように構成されていることを特徴とする請求項２〜５のいずれか一項に記載のハンドルカバー。
【請求項７】
前記複数のスリットは、それぞれ前記環状チューブ体の無端方向と略直交するように延伸して細長い線状に形成されたものを含むように構成されていることを特徴とする請求項２〜６のいずれか一項に記載のハンドルカバー。
【発明の詳細な説明】
【技術分野】
【０００１】
本発明はハンドルカバーに関し、詳しくはハンドルのホイール部を収容することができるハンドルカバーに関する。
【背景技術】
【０００２】
多くの自動車の運転者は、好みのハンドルの外観やより快適なハンドルの握り心地を追求するため、ハンドルのホイール部にハンドルカバーを装着している。ハンドルのホイール部を収容するこのようなハンドルカバーは、例えば図１に示されるように、内側に環状の開口１０２が開けられている裏カバー１０１及び裏カバー１０１を包む外カバー１０３を具えている。外カバー１０３は、特徴的な装飾やデザインを有する、または特定の素材で形成されて運転者に好みの外観や握り心地を提供するものであり、裏カバー１０１は、ハンドルのホイール部に装着するため可撓性材料により形成されている。該ハンドルカバー１００をハンドルのホイール部に装着する方法としては、まず、裏カバー１０１の開口１０２の一部を開いて、ハンドルのホイール部の一部に被せてから、徐々に右、左、と交互に裏カバー１０１を少しずつ伸ばしながら、ハンドルのホイール部にはめていくのが普通である。従って、裏カバーの可撓性、特に、伸長性は、ハンドルに装着する際における利便性に直結する。
【０００３】
一方、運転の安全性を配慮する視点から、従来のハンドルカバーが有する裏カバーにはホイール部に対して滑ることを防止する工夫が必要であり、従来では裏カバーの材料として可撓性を有しながらも比較的硬い材料を採用する上、ホイール部にほぼ密接する寸法を有するように形成することによって、滑り止め効果を得ようとしているが、この際、裏カバーの伸長性が犠牲になってしまい、ハンドルへの装着が非常に困難になっているのが殆どである。
【発明の概要】
【発明が解決しようとする課題】
【０００４】
上記問題点に鑑みて、本発明は、ハンドルカバーの材料を変更せずにハンドルカバーの構成によって伸長性を高めて従来よりも簡単に装着することができるハンドルカバーの提供を目的とする。
【課題を解決するための手段】
【０００５】
上記目的を達成すべく、本発明は、可撓性材料により形成されてハンドルのホイール部を内側に収容することができるハンドルカバーであって、ループ状の前面を有する前面部と、前記前面と略一致する寸法になっている後面を有し、前記前面部と間を空けて配置されている後面部と、前記前面部の外側と前記後面部の外側とを繋ぐループ状の周面部とを備えることにより、前記前面部及び前記後面部の内側にループ状の開口を有すると共に前記ハンドルのホイール部を収容することができる収容空間を囲む無端の環状チューブ体に形成されている上、前記環状チューブ体の無端方向に沿って並ぶ複数のスリットがそれぞれ前記環状チューブ体を貫通するように形成されていることを特徴とするハンドルカバーを提供する。
【０００６】
上記ハンドルカバーにおいて、前記複数のスリットにおいて、隣り合うスリットは、それぞれ前記環状チューブ体の無端方向と所定の角度を成すように互いに略平行して延伸している、ことが好ましい。
【０００７】
上記ハンドルカバーにおいて、前記複数のスリットは、前記前面部において前記環状チューブ体の無端方向に沿って並ぶ複数の第１のスリットを含むように構成されている、ことが好ましい。
【０００８】
上記ハンドルカバーにおいて、前記複数のスリットは、前記後面部において前記環状チューブ体の無端方向に沿って並ぶ複数の第２のスリットを含むように構成されている、ことが好ましい。
【０００９】
上記ハンドルカバーにおいて、前記複数のスリットは、前記周面部において前記環状チューブ体の無端方向に沿って並ぶ複数の第３のスリットを含むように構成されている、ことが好ましい。
【００１０】
上記ハンドルカバーにおいて、前記複数のスリットは、それぞれ前記環状チューブ体の無端方向と略直交するように延伸して長尺状に形成されたものを含むように構成されている、ことが好ましい。
【００１１】
上記ハンドルカバーにおいて、前記複数のスリットは、それぞれ前記環状チューブ体の無端方向と略直交するように延伸して細長い線状に形成されたものを含むように構成されている、ことが好ましい。
【発明の効果】
【００１２】
上記の構成によれば、本発明は、ハンドルのホイール部を収容することができる収容空間を有するように可撓性材料により無端の環状チューブ体に形成されたハンドルカバーに、前記環状チューブ体の無端方向に沿って並ぶと共に該チューブ体を貫通する複数のスリットを形成することにより、該ハンドルカバーの前記無端方向における伸長性を強化するので、本発明のハンドルカバーをハンドルのホイール部に装着する際、ハンドルカバーを延伸する時に生じる抵抗力が、複数の環状チューブ体を貫通したスリットにより低減されて、従来よりも小さくなるので、延伸拡張しやすくなり、従来よりも小さい力でハンドルカバーを伸ばしてハンドルのホイール部に装着できる。また、複数のスリットにより本発明のハンドルカバーは従来よりも延伸率が大きいので、対応して装着することができるハンドルのホイール部の寸法の幅も従来よりも広く、ハンドルのホイール部の寸法ごとに対応するハンドルカバーを生産する必要がなくなり、商品の在庫保有と生産コストを一層低減することもできる。
【図面の簡単な説明】
【００１３】
【図１】従来のハンドルカバーの一例を示す分解斜視図である。
【図２】本発明に係るハンドルカバーの第１の実施形態示す斜視図である。
【図３】本発明に係るハンドルカバーの第１の実施形態示す分解斜視図である。
【図４】図２におけるIV−IV線に沿った断面図である。
【図５】本発明に係るハンドルカバーの第１の実施形態示す局部拡大斜視図である。
【図６】本発明に係るハンドルカバーの第２の実施形態示す正面図である。
【図７】本発明に係るハンドルカバーの第３の実施形態示す局部拡大斜視図である。
【図８】本発明に係るハンドルカバーの第４の実施形態示す局部拡大斜視図である。
【図９】本発明に係るハンドルカバーの第４の実施形態示す断面図である。
【発明を実施するための形態】
【００１４】
以下は添付の図面を参照しながら、本発明の各好ましい実施形態について説明する。
【００１５】
（第１の実施形態）
図２〜図５に本発明の第１の実施形態が示されている。本発明のハンドルカバー２は、図２と図３に示されるように、可撓性材料、例えばゴムにより形成されてハンドルのホイール部を内側に収容することができる無端の環状チューブ体３に形成されたものである。即ち、該環状チューブ体３は、図４に示されるように、ループ状の前面を有する前面部３１と、前記前面と略一致する寸法になっている後面を有し、前面部３１と間を空けて配置されている後面部３２と、前記ループの外側で前面部３１と後面部３２とを繋ぐループ状の周面部３３とを有する。前面部３１と後面部３２と周面部３３とに囲まれるようにして、前記ループの内側にループ状の開口３０１を有すると共に前記ハンドルのホイール部を収容することができる収容空間３０が形成されている。
【００１６】
本発明は上記のように形成された環状チューブ体３に対し、該環状チューブ体３の無端方向に沿って並ぶ複数のスリットを、該環状チューブ体３を貫通するように形成することによって、環状チューブ体３の無端方向における伸長性を高める効果を得ることができる。
【００１７】
複数のスリットが形成される位置について、例えばこの第１の実施形態では図３〜図５に示されているように、前面部３１において環状チューブ体３の無端方向に沿って並ぶ複数の第１のスリット３１１と、後面部３２において環状チューブ体３の無端方向に沿って並ぶ複数の第２のスリット３２１とがそれぞれ形成され、そして、各第１のスリット３１１及び各第２のスリット３２１は、それぞれが前記無端方向に略直交するように延伸する長尺状に形成されている。更に、各第１のスリット３１１と各第２のスリット３２１とは、図４に示されているように、環状チューブ体３の断面においてそれぞれ対となって互いに向き合って対称する位置に配置されている。
【００１８】
更に、図３に示されているように、この第１の実施形態のハンドルカバー２は、環状チューブ体３より少し大き目の寸法を有する外側カバー４を、環状チューブ体３を外側から包むように環状チューブ体３に取り付けることができる。外側カバー４は、開口３０１に対応する環状の開口４１が形成されていると共に、環状の開口４１の開口縁が環状チューブ体３の開口３０１の開口縁に沿ってミシンで縫合されるようにして環状チューブ体３に固定されている。外側カバー４の素材は、所定の設計に応じて選ばれるものであり、一般的には触り心地のよい生地や、樹脂製のシートなどが採用される。そして外側カバー４を環状チューブ体３に固定する方法は、ミシンで縫合する以外、例えば粘着剤による固定方法も採用できる。
【００１９】
この第１の実施形態の構成では、環状チューブ体３は、周面部３３がハンドルのホイール部の外周縁に密接し、前面部３１及び後面部３２がそれぞれハンドルのホイール部の運転手に面する部分と計器パネルに面する部分に密接するようにハンドルのホイール部に装着されることができるように形成された上、複数の第１のスリット３１１と複数の第２のスリット３２１とがそれぞれ環状チューブ体３を貫通するように形成されているので、ハンドルカバー２をハンドルのホイール部に装着する際、ハンドルカバー２を引き伸ばす時における抵抗力が複数の第１のスリット３１１と複数の第２のスリット３２１が形成される構成によって低減されて従来よりも延伸拡張しやすくなっているので、従来よりも小さい力でハンドルカバー２を引き伸ばしてハンドルのホイール部に装着することができる。また、複数のスリットにより本発明のハンドルカバー２は従来よりも延伸率が大きいので、対応して装着することができるハンドルのホイール部の寸法の幅も従来よりも広く、ハンドルのホイール部の寸法ごとに対応するハンドルカバーを生産する必要がなくなり、商品の在庫保有と生産コストを一層低減することもできる。
【００２０】
（第２の実施形態）
次いで、図６を用いて本発明の第２の実施形態について説明する。図示のように、この第２の実施形態における環状チューブ体３に形成される複数の第１のスリット３１１及び第２のスリット（図示せず）は、長尺状に形成される第１の実施形態と異なり、薄い刃物で環状チューブ体３に対して切り込んで形成されたように細長い線状に形成されている。複数の第１のスリット３１１及び第２のスリットをそれぞれ細長い線状に形成する構成は、ハンドルカバー２の伸長性を高める効果においては長尺状に形成される第１の実施形態とほぼ同等の効果を得ることができる。
【００２１】
（第３の実施形態）
次いで、図７を用いて本発明の第３の実施形態について説明する。図示のように、この実施形態では前面部３１と後面部３２とを繋ぐループ状の周面部３３に、環状チューブ体３の無端方向に沿って並ぶ複数の第３のスリット３３１が形成されている。この複数の第３のスリット３３１は、第２の実施形態における第１のスリット３１１と同じく、環状チューブ体３が延伸する方向に略直交するように延伸する細長い線状に形成されている。この構成は第１、第２の実施形態と同じく、ハンドルカバー２の伸長性を高めてハンドルのホイール部に対する装着をしやすくする効果を得ることができる。
【００２２】
（第４の実施形態）
次いで、図８と図９とを用いて本発明の第４の実施形態について説明する。
【００２３】
本発明の第４の実施形態は、上記第１の実施形態の環状チューブ体３と同じように、前面部３１において環状チューブ体３の無端方向に沿って並ぶ複数の第１のスリット３１１と、後面部３２において環状チューブ体３の無端方向に沿って並ぶ複数の第２のスリット３２１とがそれぞれ形成されている上、第３の実施形態と同じように、周面部３３にも環状チューブ体３の無端方向に沿って並ぶ複数の第３のスリット３３１が形成されている。この複数の第３のスリット３３１は、第３の実施形態と同じく、環状チューブ体３が延伸する方向に略直交するように延伸する細長い線状に形成されている。複数の第３のスリット３３１の位置は、環状チューブ体３の無端方向において第１のスリット３１１とも第２のスリット３２１とも互い違いになるように、周面部３３における、隣り合う２つの第１のスリット３１１の間で且つ隣り合う２つの第２のスリット３２１の間に配置されている。
【００２４】
この第４の実施形態では、前面部３１と後面部３２と周面部３３とにそれぞれ第１、第２、第３のスリット３１１、３２１、３３１を複数形成するので、第１〜第３の実施形態よりも更に環状チューブ体３の無端方向における伸長性を高めるようになっており、ハンドルのホイール部に対する装着が更にたやすくなっていると共に、より幅広い寸法のハンドルのホイール部に対応して装着することができる。
【００２５】
上記第１〜第４の実施形態に示されるように、本発明のハンドルカバー２に形成されて環状チューブ体３の伸長性を高める複数のスリットは、環状チューブ体３の無端方向に沿って並ぶように配置すれば、環状チューブ体３の伸長性を高める効果を得ることができるが、各スリットそれぞれの延伸方向が環状チューブ体３の無端方向と所定の角度を成すように延伸し且つ互いにほぼ平行するように形成すれば、環状チューブ体３の伸長性を更に高めることができる。これらの条件を満たせば、複数のスリットが前面部３１、後面部３２、周面部３３に形成されることについては特に制限はなく、そして例えば前面部３１または後面部３２から周面部３３へ延伸する構成や、周面部３３から両端がそれぞれ前面部３１及び後面部３２に延伸する構成などを採用することも可能であり、更に、各スリットの形状については特に制限はなく、第１の実施形態のように長尺状に形成すること及び第２の実施形態のように細長い線状に形成することが可能である上、楕円形や菱形などの形状に形成することも可能である。
【産業上の利用可能性】
【００２６】
本発明のハンドルカバーは、一般の自動車にあるホイール部を有するハンドルに適用して装着することができるもので、環状チューブ体を貫通する複数のスリットが形成されたので、従来よりも楽に装着することができ、例えば女性の使用者には特に便利である。
【符号の説明】
【００２７】
２  ハンドルカバー
３  環状チューブ体
４  外側カバー
４１  環状の開口
３０  収容空間
３０１  開口
３１  前面部
３２  後面部
３３  周面部
３１１  第１のスリット
３２１  第２のスリット
３３１  第３のスリット
【図１】
2015157621.tif 000003
【図２】
2015157621.tif 000004
【図３】
2015157621.tif 000005
【図４】
2015157621.tif 000006
【図５】
2015157621.tif 000007
【図６】
2015157621.tif 000008
【図７】
2015157621.tif 000009
【図８】
2015157621.tif 000010
【図９】
2015157621.tif 000011